(57)【要約】  一形態に係る情報提供装置は、オークション・サイトのウェブページにアクセスするためのページ要求をユーザ端末から受信する受信部であって、該ページ要求が、ユーザを特定するための識別子を含む、該受信部と、商品の購入履歴を記憶する購入履歴記憶部から識別子に対応する購入履歴を抽出し、ユーザにより購入され且つウェブページのコンテンツに対応する商品を特定する検索部と、検索部により特定された商品の商品情報をウェブページと共にユーザ端末上に、ユーザが該商品をオークション・サイトに出品可能な態様で表示させるために、該商品情報及び該ウェブページを該ユーザ端末に送信する送信部とを備える。
2013145454.tif 000002
【特許請求の範囲】
【請求項１】
オークション・サイトのウェブページにアクセスするためのページ要求をユーザ端末から受信する受信部であって、該ページ要求が、ユーザを特定するための識別子を含む、該受信部と、
商品の購入履歴を記憶する購入履歴記憶部から前記識別子に対応する購入履歴を抽出し、前記ユーザにより購入され且つ前記ウェブページのコンテンツに対応する商品を特定する検索部と、
前記検索部により特定された商品の商品情報を前記ウェブページと共に前記ユーザ端末上に、前記ユーザが該商品を前記オークション・サイトに出品可能な態様で表示させるために、該商品情報及び該ウェブページを該ユーザ端末に送信する送信部と
を備える情報提供装置。
【請求項２】
前記送信部が、前記検索部により特定された商品を前記オークション・サイトに出品するための出品インタフェースと、前記商品情報と、前記ウェブページとを前記ユーザ端末に送信し、
前記出品インタフェース及び前記商品情報が前記ユーザ端末で表示される、
請求項１に記載の情報提供装置。
【請求項３】
前記出品インタフェースが前記ユーザにより選択された場合に、前記検索部により特定された商品の商品情報が前記オークション・サイトの出品ページの入力欄に設定される、
請求項２に記載の情報提供装置。
【請求項４】
前記送信部が、前記検索部により特定された商品を、前記オークション・サイトに後で出品するための待ちリストに追加するためのリスト追加インタフェースと、前記商品情報と、前記ウェブページとを前記ユーザ端末に送信し、
前記リスト追加インタフェース及び前記商品情報が前記ユーザ端末で表示される、
請求項１〜３のいずれか一項に記載の情報提供装置。
【請求項５】
前記検索部が、前記ユーザによる購入から所定の期間が経過した商品の前記購入履歴を抽出する、
請求項１〜４のいずれか一項に記載の情報提供装置。
【請求項６】
前記検索部が、前記オークション・サイトでの落札履歴を記憶する落札履歴記憶部を参照して、前記ユーザによる購入から前記所定の期間が経過しておらず、且つ前記落札履歴で示される落札額が前記購入履歴で示される購入額よりも高い商品の前記購入履歴を抽出する、
請求項５に記載の情報提供装置。
【請求項７】
前記所定の期間が商品のジャンル毎に設定されている、
請求項５又は６に記載の情報提供装置。
【請求項８】
前記検索部が、前記オークション・サイトでの落札履歴を記憶する落札履歴記憶部を参照して、落札履歴で示される落札額が前記購入履歴で示される購入額よりも高い商品の前記購入履歴を抽出する、
請求項１〜４のいずれか一項に記載の情報提供装置。
【請求項９】
前記検索部が、商品属性に基づいて、又は前記購入履歴記憶部内の任意の購入履歴で示される商品の購入時期に基づいて、現在の時期に対応する商品の前記購入履歴を抽出する、
請求項１〜８のいずれか一項に記載の情報提供装置。
【請求項１０】
前記検索部が、前記オークション・サイトでの出品履歴を記憶する出品履歴記憶部と、該オークション・サイトでの落札履歴を記憶する落札履歴記憶部とを参照して、前記ユーザにより購入され、現在出品されておらず、且つ過去に落札されていない商品の前記購入履歴を抽出する、
請求項１〜９のいずれか一項に記載の情報提供装置。
【請求項１１】
前記検索部が、前記オークション・サイトでの落札履歴を記憶する落札履歴記憶部を参照して、前記ユーザの購入履歴で示される商品のうち、該オークション・サイトでの落札額が所定の閾値以上である商品の前記購入履歴を抽出する、
請求項１〜１０のいずれか一項に記載の情報提供装置。
【請求項１２】
前記検索部が、前記オークション・サイトでの検索履歴を記憶する検索履歴記憶部と、該サイトでの出品履歴を記憶する出品履歴記憶部とを参照して、前記ユーザの購入履歴で示される商品のそれぞれについて検索数及び出品数に基づく需要指数を求め、該需要指数が所定の閾値以上である商品の前記購入履歴を抽出する、
請求項１〜１１のいずれか一項に記載の情報提供装置。
【請求項１３】
前記ウェブページが、前記ページ要求に含まれるクエリに基づく検索結果を示すページであり、
前記検索部が、前記クエリに合致する商品を特定する、
請求項１〜１２のいずれか一項に記載の情報提供装置。
【請求項１４】
前記クエリがキーワード及び所定の商品のジャンルのうちの少なくとも一つを含む、
請求項１３に記載の情報提供装置。
【請求項１５】
前記クエリが前記キーワード及び前記商品のジャンルの双方を含む、
請求項１４に記載の情報提供装置。
【請求項１６】
前記購入履歴記憶部が、オンライン・ショッピング・サイトでの購入を示す購入履歴、前記オークション・サイトでの購入を示す購入履歴、及び決済システムで決済された購入を示す購入履歴のうちの少なくとも一つを記憶する、
請求項１〜１５のいずれか一項に記載の情報提供装置。
【請求項１７】
前記購入履歴記憶部が、前記オンライン・ショッピング・サイトでの購入を示す購入履歴と、前記オークション・サイトでの購入を示す購入履歴とを記憶し、
前記検索部により特定された商品の商品情報が、前記オンライン・ショッピング・サイトと前記オークション・サイトのどちらで該商品が購入されたかを示す情報を含む、
請求項１６に記載の情報提供装置。
【請求項１８】
前記検索部が、前記オークション・サイトでの検索履歴を記憶する検索履歴記憶部と、該サイトでの出品履歴を記憶する出品履歴記憶部と、該サイトでの落札履歴を記憶する落札履歴記憶部のうちの少なくとも一つを参照して、前記ユーザ端末での前記商品情報の表示順を設定し、
前記表示順が、検索数及び出品数に基づく需要指数と、落札額と、検索数と、購入時期とのうちの少なくとも一つに基づいて設定される、
請求項１〜１７のいずれか一項に記載の情報提供装置。
【請求項１９】
情報提供装置により実行される情報提供方法であって、
オークション・サイトのウェブページにアクセスするためのページ要求をユーザ端末から受信する受信ステップであって、該ページ要求が、ユーザを特定するための識別子を含む、該受信ステップと、
商品の購入履歴を記憶する購入履歴記憶部から前記識別子に対応する購入履歴を抽出し、前記ユーザにより購入され且つ前記ウェブページのコンテンツに対応する商品を特定する検索ステップと、
前記検索ステップにおいて特定された商品の商品情報を前記ウェブページと共に前記ユーザ端末上に、前記ユーザが該商品を前記オークション・サイトに出品可能な態様で表示させるために、該商品情報及び該ウェブページを該ユーザ端末に送信する送信ステップと
を含む情報提供方法。
【請求項２０】
オークション・サイトのウェブページにアクセスするためのページ要求をユーザ端末から受信する受信部であって、該ページ要求が、ユーザを特定するための識別子を含む、該受信部と、
商品の購入履歴を記憶する購入履歴記憶部から前記識別子に対応する購入履歴を抽出し、前記ユーザにより購入され且つ前記ウェブページのコンテンツに対応する商品を特定する検索部と、
前記検索部により特定された商品の商品情報を前記ウェブページと共に前記ユーザ端末上に、前記ユーザが該商品を前記オークション・サイトに出品可能な態様で表示させるために、該商品情報及び該ウェブページを該ユーザ端末に送信する送信部と
をコンピュータに実行させる情報提供プログラム。
【請求項２１】
オークション・サイトのウェブページにアクセスするためのページ要求をユーザ端末から受信する受信部であって、該ページ要求が、ユーザを特定するための識別子を含む、該受信部と、
商品の購入履歴を記憶する購入履歴記憶部から前記識別子に対応する購入履歴を抽出し、前記ユーザにより購入され且つ前記ウェブページのコンテンツに対応する商品を特定する検索部と、
前記検索部により特定された商品の商品情報を前記ウェブページと共に前記ユーザ端末上に、前記ユーザが該商品を前記オークション・サイトに出品可能な態様で表示させるために、該商品情報及び該ウェブページを該ユーザ端末に送信する送信部と
をコンピュータに実行させる情報提供プログラムを記憶するコンピュータ読取可能な記録媒体。
【発明の詳細な説明】
【技術分野】
【０００１】
本発明の一形態は、インターネット上のオークション・サイトに関連する情報をユーザに提供するための装置、方法、プログラム、及び記録媒体に関する。
【背景技術】
【０００２】
インターネット・オークションは、一般の人も気軽に出品や入札ができることから、盛んに行われている。これに関連して下記特許文献１には、ユーザの所有する商品をオークションなどで第三者に譲渡するようリコメンドするための技術が記載されている。その文献に記載されているリコメンド装置は、商品の購入履歴を利用して、商品購入時などにユーザが同種の製品を以前に購入しているか否かを検索し、購入していれば買替による商品購入と判断する。そして、リコメンド装置は、その判断結果に従い、購入時期が古い方の商品を第三者に譲渡するようリコメンドする。
【先行技術文献】
【特許文献】
【０００３】
【特許文献１】特開２００９−１２２７８０号公報
【発明の概要】
【発明が解決しようとする課題】
【０００４】
上記特許文献１に記載のリコメンド装置はメールによりユーザに譲渡をリコメンドする必要があるので、メールからオークション・サイトにアクセスする手間が発生し、必ずしも利便性が高いとは言えない。
【課題を解決するための手段】
【０００５】
本発明の一形態に係る情報提供装置は、オークション・サイトのウェブページにアクセスするためのページ要求をユーザ端末から受信する受信部であって、該ページ要求が、ユーザを特定するための識別子を含む、該受信部と、商品の購入履歴を記憶する購入履歴記憶部から識別子に対応する購入履歴を抽出し、ユーザにより購入され且つウェブページのコンテンツに対応する商品を特定する検索部と、検索部により特定された商品の商品情報をウェブページと共にユーザ端末上に、ユーザが該商品をオークション・サイトに出品可能な態様で表示させるために、該商品情報及び該ウェブページを該ユーザ端末に送信する送信部とを備える。【０００６】
本発明の一形態に係る情報提供方法は、情報提供装置により実行される情報提供方法であって、オークション・サイトのウェブページにアクセスするためのページ要求をユーザ端末から受信する受信ステップであって、該ページ要求が、ユーザを特定するための識別子を含む、該受信ステップと、商品の購入履歴を記憶する購入履歴記憶部から識別子に対応する購入履歴を抽出し、ユーザにより購入され且つウェブページのコンテンツに対応する商品を特定する検索ステップと、検索ステップにおいて特定された商品の商品情報をウェブページと共にユーザ端末上に、ユーザが該商品をオークション・サイトに出品可能な態様で表示させるために、該商品情報及び該ウェブページを該ユーザ端末に送信する送信ステップとを含む。【０００７】
本発明の一形態に係る情報提供プログラムは、オークション・サイトのウェブページにアクセスするためのページ要求をユーザ端末から受信する受信部であって、該ページ要求が、ユーザを特定するための識別子を含む、該受信部と、商品の購入履歴を記憶する購入履歴記憶部から識別子に対応する購入履歴を抽出し、ユーザにより購入され且つウェブページのコンテンツに対応する商品を特定する検索部と、検索部により特定された商品の商品情報をウェブページと共にユーザ端末上に、ユーザが該商品をオークション・サイトに出品可能な態様で表示させるために、該商品情報及び該ウェブページを該ユーザ端末に送信する送信部とをコンピュータに実行させる。【０００８】
本発明の一形態に係るコンピュータ読取可能な記録媒体は、オークション・サイトのウェブページにアクセスするためのページ要求をユーザ端末から受信する受信部であって、該ページ要求が、ユーザを特定するための識別子を含む、該受信部と、商品の購入履歴を記憶する購入履歴記憶部から識別子に対応する購入履歴を抽出し、ユーザにより購入され且つウェブページのコンテンツに対応する商品を特定する検索部と、検索部により特定された商品の商品情報をウェブページと共にユーザ端末上に、ユーザが該商品をオークション・サイトに出品可能な態様で表示させるために、該商品情報及び該ウェブページを該ユーザ端末に送信する送信部とをコンピュータに実行させる情報提供プログラムを記憶する。【０００９】
このような形態によれば、ユーザがオークション・サイトのウェブページにアクセスしようとすると、そのユーザにより購入され且つそのウェブページのコンテンツに対応する商品が特定される。そして、特定された商品情報がそのウェブページと共にユーザ端末に送られて、その商品情報がウェブページと共に当該端末上に表示される。【００１０】
ユーザがオークション・サイトにアクセスするということは、ユーザがオークションに興味を示したことを意味する。したがって、出品の候補となる商品の情報をそのアクセス時に表示させることで、ユーザがオークションに興味を持っている時に出品候補の所有物をそのユーザに気付かせて、そのままユーザを出品操作へと誘導することができる。また、この出品候補の商品情報はオークション・サイトのウェブページに対応しており、且つそのウェブページと共に端末上に表示されるので、ユーザは出品するか否かを簡単に判断することができる。これらの結果、出品に係る利便性をより高めることができる。【００１１】
別の形態に係る情報提供装置では、送信部が、検索部により特定された商品をオークション・サイトに出品するための出品インタフェースと、商品情報と、ウェブページとをユーザ端末に送信し、出品インタフェース及び商品情報がユーザ端末で表示されてもよい。このようなインタフェースによりユーザの出品作業を簡単化することができる。【００１２】
さらに別の形態に係る情報提供装置では、出品インタフェースがユーザにより選択された場合に、検索部により特定された商品の商品情報がオークション・サイトの出品ページの入力欄に設定されてもよい。このように出品ページでの入力を自動化することで、ユーザはその分入力作業を省くことができ、出品作業を簡単に行うことができる。【００１３】
さらに別の形態に係る情報提供装置では、送信部が、検索部により特定された商品を、オークション・サイトに後で出品するための待ちリストに追加するためのリスト追加インタフェースと、商品情報と、ウェブページとをユーザ端末に送信し、リスト追加インタフェース及び商品情報がユーザ端末で表示されてもよい。商品を後で出品するためのインタフェースを表示させることで、ユーザは商品情報が表示された時点で出品しなくても、後の任意の時点で出品を行うことができる。【００１４】
さらに別の形態に係る情報提供装置では、検索部が、ユーザによる購入から所定の期間が経過した商品の購入履歴を抽出してもよい。ユーザが一定期間以上所持している商品を出品の候補として表示させることで、購入から未だ時間が経過しておらず出品の可能性が相対的に低い商品の提示を避けることができる。また、購入直後の商品が誤って出品されることを防ぐこともできる。【００１５】
さらに別の形態に係る情報提供装置では、検索部が、オークション・サイトでの落札履歴を記憶する落札履歴記憶部を参照して、ユーザによる購入から所定の期間が経過しておらず、且つ落札履歴で示される落札額が購入履歴で示される購入額よりも高い商品の購入履歴を抽出してもよい。商品が購入時よりも高い金額で落札された場合には、購入時期に拘わらずその商品の情報をユーザに提示することで、ユーザの出品意欲をかき立てることができる。【００１６】
さらに別の形態に係る情報提供装置では、所定の期間が商品のジャンル毎に設定されていてもよい。商品の使用期間はその種類により様々であるので、商品のジャンル毎に上記所定の期間を設定することで、商品情報を適切な時期に提示することができる。【００１７】
さらに別の形態に係る情報提供装置では、検索部が、オークション・サイトでの落札履歴を記憶する落札履歴記憶部を参照して、落札履歴で示される落札額が購入履歴で示される購入額よりも高い商品の購入履歴を抽出してもよい。商品が購入時よりも高い金額で落札された商品の情報をユーザに提示することで、ユーザの出品意欲をかき立てることができる。【００１８】
さらに別の形態に係る情報提供装置では、検索部が、商品属性に基づいて、又は購入履歴記憶部内の任意の購入履歴で示される商品の購入時期に基づいて、現在の時期に対応する商品の購入履歴を抽出してもよい。商品の旬（需要の多い時期）に合わせて商品情報を提示することで、落札の可能性が高い商品を出品の候補としてユーザに提示することができる。【００１９】
さらに別の形態に係る情報提供装置では、検索部が、オークション・サイトでの出品履歴を記憶する出品履歴記憶部と、該オークション・サイトでの落札履歴を記憶する落札履歴記憶部とを参照して、ユーザにより購入され、現在出品されておらず、且つ過去に落札されていない商品の購入履歴を抽出してもよい。これにより、現在出品されていない商品の情報に限ってユーザに提示することができる。【００２０】
さらに別の形態に係る情報提供装置では、検索部が、オークション・サイトでの落札履歴を記憶する落札履歴記憶部を参照して、ユーザの購入履歴で示される商品のうち、該オークション・サイトでの落札額が所定の閾値以上である商品の購入履歴を抽出してもよい。ある水準以上の額で落札されている商品をユーザに提示することで、ユーザの出品意欲をかき立てることができる。【００２１】
さらに別の形態に係る情報提供装置では、検索部が、オークション・サイトでの検索履歴を記憶する検索履歴記憶部と、該サイトでの出品履歴を記憶する出品履歴記憶部とを参照して、ユーザの購入履歴で示される商品のそれぞれについて検索数及び出品数に基づく需要指数を求め、該需要指数が所定の閾値以上である商品の購入履歴を抽出してもよい。検索数は商品に対するユーザの興味の度合いであり、出品数は商品の供給量であると言える。したがって、その検索数及び出品数に基づいて、ある水準以上の需要が見込まれる商品をユーザに提示することで、ユーザは落札が見込まれそうな商品を知ることができる。【００２２】
さらに別の形態に係る情報提供装置では、ウェブページが、ページ要求に含まれるクエリに基づく検索結果を示すページであり、検索部が、クエリに合致する商品を特定してもよい。ウェブページ上で用いられたクエリに合致する商品を提示することで、ユーザが現在興味を持っている商品を出品候補として提示することができる。その結果、出品に係る利便性を高めることが期待できる。【００２３】
さらに別の形態に係る情報提供装置では、クエリがキーワード及び所定の商品のジャンルのうちの少なくとも一つを含んでもよい。これにより、キーワード又は商品ジャンルに対応する商品をユーザに提示することができる。【００２４】
さらに別の形態に係る情報提供装置では、クエリがキーワード及び商品のジャンルの双方を含んでもよい。これにより、キーワード及び商品ジャンルの双方に対応する商品をユーザに提示することができる。【００２５】
さらに別の形態に係る情報提供装置では、購入履歴記憶部が、オンライン・ショッピング・サイトでの購入を示す購入履歴、オークション・サイトでの購入を示す購入履歴、及び決済システムで決済された購入を示す購入履歴のうちの少なくとも一つを記憶してもよい。【００２６】
さらに別の形態に係る情報提供装置では、購入履歴記憶部が、オンライン・ショッピング・サイトでの購入を示す購入履歴と、オークション・サイトでの購入を示す購入履歴とを記憶し、検索部により特定された商品の商品情報が、オンライン・ショッピング・サイトとオークション・サイトのどちらで該商品が購入されたかを示す情報を含んでもよい。これにより、ユーザは商品の購入経路や、購入時の商品の品質（新品か中古品か）を思い出し、それに基づいて出品の要否などを判断することができる。【００２７】
さらに別の形態に係る情報提供装置では、検索部が、オークション・サイトでの検索履歴を記憶する検索履歴記憶部と、該サイトでの出品履歴を記憶する出品履歴記憶部と、該サイトでの落札履歴を記憶する落札履歴記憶部のうちの少なくとも一つを参照して、ユーザ端末での商品情報の表示順を設定し、表示順が、検索数及び出品数に基づく需要指数と、落札額と、検索数と、購入時期とのうちの少なくとも一つに基づいて設定されてもよい。商品の表示順をこのように設定することで、ユーザは出品の要否を簡単に判断することができる。
【発明の効果】
【００２８】
本発明の一側面によれば、出品に係る利便性をより高めることができる。
【図面の簡単な説明】
【００２９】
【図１】実施形態に係るオークション・サーバを含むオークション・システムの全体構成を示す図である。
【図２】購入履歴の例を示す図である。
【図３】出品履歴の例を示す図である。
【図４】落札履歴の例を示す図である。
【図５】検索履歴の例を示す図である。
【図６】図１に示すオークション・サーバのハードウェア構成を示す図である。
【図７】図１に示すオークション・サーバの機能構成を示すブロック図である。
【図８】ウェブページと共に出品候補を表示する一例を示す図である。
【図９】ウェブページと共に出品候補を表示する別の例を示す図である。
【図１０】ウェブページと共に出品候補を表示する別の例を示す図である。
【図１１】ウェブページと共に出品候補を表示する別の例を示す図である。
【図１２】図１に示すオークション・サーバの動作の一例を示すシーケンス図である。
【図１３】図１に示すオークション・サーバの動作の別の例を示すシーケンス図である。
【図１４】図１に示すオークション・サーバの動作のさらに別の例を示すシーケンス図である。
【図１５】実施形態に係る情報提供プログラムの構成を示す図である。
【発明を実施するための形態】
【００３０】
以下、添付図面を参照しながら本発明の実施形態を詳細に説明する。下記の実施形態では、本発明に係る情報提供装置をオークション・サーバに適用する。なお、図面の説明において同一又は同等の要素には同一の符号を付し、重複する説明を省略する。
【００３１】
まず、図１〜１１を用いて、実施形態に係るオークション・サーバ１０の機能及び構成を説明する。オークション・サーバ１０はオークション・システム１の一構成要素である。オークション・システム１は、ユーザ（一般消費者）にインターネット・オークションのウェブサイト（オークション・サイト）を提供するコンピュータシステムである。ユーザはそのサイトを介して所有物を出品したり、他人の出品物に対して入札を行ったりすることができる。所望の品物を落札できた場合には、ユーザは出品者への支払いと引き替えにその品物を得ることができる。オークション・システム１は、オークション・サーバ１０の他にデータベース群２０及びユーザ端末Ｔｕを備えている。これらの装置は通信ネットワークＮを介して互いに接続されている。
【００３２】
オークション・サーバ１０は、オークション・サイトを管理するコンピュータシステムである。オークション・サーバ１０は、ユーザ端末Ｔｕからのリクエストに応じて、メインページやジャンル（商品のカテゴリ）別のウェブページなどの各種ウェブページの提供、出品商品の検索、オークション処理（出品や入札、落札、決済などに関する処理）などを実行する。また、オークション・サーバ１０は、オークション・サイトにアクセスしたユーザが過去に購入した商品を出品候補としてそのユーザに提示する機能を備える。なお、商品の種類は限定されず、役務利用の権利（例えば施設利用の権利やコンサートへの参加の権利など）も商品の一種である。
【００３３】
データベース群２０は、オークション・システム１で必要な各種データベースの集まりである。データベース群２０内の各データベースの設置場所は任意であり、例えば、各データベースが一箇所にまとめられていてもよいし、別々の場所に設置されていてもよい。
【００３４】
ユーザ端末Ｔｕは、ユーザが所有するコンピュータである。ユーザ端末Ｔｕの種類は限定されず、例えば据置型又は携帯型のパーソナルコンピュータでもよいし、高機能携帯電話機（スマートフォン）や携帯電話機、携帯情報端末（ＰＤＡ）などの携帯端末でもよい。オークション・システム１内に存在するユーザ端末Ｔｕの台数も限定されない。
【００３５】
以上を前提として、オークション・サーバ１０の詳細を説明する。まず、このオークション・サーバ１０によりアクセスされる各種データベースについて詳しく説明する。
【００３６】
購入履歴データベース（購入履歴記憶部）２１は、ユーザの購入履歴を記憶する手段である。購入履歴とは、ユーザが過去にインターネットを介して商品を購入したことを示す記録である。
【００３７】
どのウェブサイトでの購入手続を記録するかは任意に定めてよく、これに関連して、購入履歴データベース２１の配置場所も限定されない。例えば、購入履歴データベース２１はオンライン・ショッピング・サイトでの各ユーザの購入履歴と、オークション・サイトでの各ユーザの購入履歴（落札によって商品を獲得した履歴）との一方又は双方を記憶してもよい。あるいは、購入履歴データベース２１は電子マネーやクレジットカードによる決済システム内に記憶されている購入履歴のうちユーザの承諾が得られた情報を記憶してもよい。あるいは、購入履歴データベース２１はこれらの様々なサイトおよびシステムに記憶されている購入履歴データベースの集合であってもよい。
【００３８】
決済システムなどのように商品属性のすべてを持っていない購入履歴データベースを参照する場合には、商品名などを用いてオークション・システム又はオンライン・ショッピング・システム内の商品データベースを検索し、商品属性（例えばジャンル）を特定すればよい。商品属性の一項目について複数の値が特定された場合には、多数決の手法により一つの属性値を決めてもよい。あるいは、所属している商品数が所定の閾値以上である一又は複数の属性値を商品と関連付けることで、商品と紐付く可能性のある商品属性を複数保持しておいてもよい。
【００３９】
例えば、商品「ブーツ」について商品データベースを検索した結果、ジャンル「レディス・ファッション」に属するブーツが１５０００件抽出され、ジャンル「メンズ・ファッション」に属するブーツが６５００件抽出され、ジャンル「キッズ・ベビー」に属するブーツが１０００件抽出されたとする。この場合には、多数決の手法により、商品「ブーツ」のジャンルが「レディス・ファッション」に設定されてもよいし、例えば閾値を２０００として、「レディス・ファッション」及び「メンズ・ファッション」の双方がその商品のジャンルとして設定されてもよい。
【００４０】
多数決の手法を採った場合には、ヒット件数が最大である「レディス・ファッション」が男性用ブーツに対して設定される結果、ユーザがオークション・サイトのメンズ・ファッションのジャンルを閲覧しているときにそのブーツが抽出されなくなる。一方、上記のように男性用ブーツに対して「レディス・ファッション」及び「メンズ・ファッション」の双方がジャンルとして設定された場合には、ユーザがオークション・サイトのメンズ・ファッションのジャンルを閲覧しているときにそのブーツが抽出される。このように、多数決の手法により決まるジャンルが本来のジャンルと異なる場合には、一つの商品に対して複数のジャンルを設定する手法は有効である。
【００４１】
サイトあるいはシステム間でジャンルが異なる場合には、その対応表を記憶するデータベースを用いてもよい。
【００４２】
図２に示すように、購入履歴の各レコードは購入ＩＤ、ユーザＩＤ、購入日、商品ＩＤ、購入額、商品の各種属性（例えば商品画像へのリンク、商品名、商品のジャンル、説明文など）、出品フラグ、出品日、落札フラグ、及び落札日を含んでいる。出品日及び落札日は時刻を含み得る。
【００４３】
購入ＩＤは個々の購入を特定するための識別子である。ユーザＩＤはユーザを特定するための識別子であり、オークション・サイトの会員に割り当てられた会員ＩＤや、ユーザのメールアドレスをユーザＩＤとして利用可能である。購入履歴のユーザＩＤは購入者を特定する。商品ＩＤは商品を特定するための識別子であり、店舗間に共通のコード（例えば型番）や、店舗独自のＩＤなどがこの商品ＩＤとして設定されうる。同じ商品の商品ＩＤが店舗毎に異なる場合には、商品同士が同一か否かを型番などのカタログ情報を用いて検査すればよい。
【００４４】
出品フラグは、ユーザが購入商品をオークション・サイトに出品したか否かを示す情報であり、図２では、出品したことを「済」で示し、出品していないことを空欄で示している。落札フラグは、ユーザが出品した商品がオークション・サイトで落札されたか否かを示す情報であり、図２では、落札されたことを「済」で示し、落札されていないことを空欄で示している。出品フラグ、出品日、落札フラグ、及び落札日は、オークション・サーバ１０による出品処理や落札処理により適宜更新される。商品が落札されなかった場合には出品フラグ及び出品日はクリアされ、この場合にはこれら二つの項目が再度の出品により再び設定され得る。
【００４５】
出品履歴データベース（出品履歴記憶部）２２は、オークション・サイトにおける出品の履歴を記憶する手段である。図３に示すように、出品履歴の各レコードは出品ＩＤ、出品者のユーザＩＤ、出品日、出品額（現在の最高入札額）、商品ＩＤ、及び商品属性（例えば商品画像へのリンク、商品名、商品のジャンル、説明文など）を含んでいる。出品ＩＤは個々の出品を特定するための識別子である。出品日は時刻を含み得る。
【００４６】
落札履歴データベース（落札履歴記憶部）２３は、オークション・サイトにおける落札の履歴を記憶する手段である。図４に示すように、落札履歴の各レコードは出品ＩＤ、落札ＩＤ、落札日、落札者のユーザＩＤ、落札額、及び商品ＩＤを含んでいる。落札ＩＤは個々の落札を特定するための識別子である。落札日は時刻を含み得る。
【００４７】
検索履歴データベース（検索履歴記憶部）２４は、オークション・サイトにおけるユーザの検索の履歴（検索履歴）を記憶する手段である。図５に示すように、検索履歴の各レコードは検索ＩＤ、検索日、検索者のユーザＩＤ、及び検索された商品のリストを含んでいる。検索ＩＤは個々の検索処理を特定するための識別子である。商品のリストは、その検索処理において抽出された商品ＩＤの集合である。検索日は時刻を含み得る。
【００４８】
上記の各データベース（各レコード）の構成は図２〜５に示すものに限定されず、各データベースに対して任意の正規化又は冗長化を行ってよい。
【００４９】
データベース群２０は、ユーザ情報（会員情報）を記憶するユーザデータベースや、商品情報を記憶する商品データベースなどの他のデータベースも含み得る。ユーザ情報はユーザＩＤにより識別され、商品情報は商品ＩＤにより識別される。
【００５０】
次に、オークション・サーバ１０の機能及び構成を説明する。オークション・サーバ１０のハードウェア構成を図６に示す。この図に示すように、オークション・サーバ１０は、オペレーティングシステムやアプリケーション・プログラムなどを実行するＣＰＵ１０１と、ＲＯＭ及びＲＡＭで構成される主記憶部１０２と、ハードディスクなどで構成される補助記憶部１０３と、ネットワークカードなどで構成される通信制御部１０４と、キーボードやマウスなどの入力装置１０５と、ディスプレイなどの出力装置１０６とを備えている。
【００５１】
後述するオークション・サーバ１０の各機能的構成要素は、ＣＰＵ１０１や主記憶部１０２の上に所定のソフトウェアを読み込ませ、ＣＰＵ１０１の制御の下で通信制御部１０４や入力装置１０５、出力装置１０６などを動作させ、主記憶部１０２や補助記憶部１０３におけるデータの読み出し及び書き込みを行うことで実現される。処理に必要なデータやデータベースは主記憶部１０２や補助記憶部１０３内に格納される。なお、上記データベース群２０の少なくとも一部がオークション・サーバ１０内に設けられていてもよい。図６ではオークション・サーバ１０が１台のコンピュータで構成されているように示しているが、オークション・サーバ１０の機能を複数台のコンピュータに分散させてもよい。
【００５２】
オークション・サーバ１０は、ユーザがオークション・サイトのウェブページにアクセスした時に、そのユーザの購入履歴から、当該ウェブページに対応する商品を特定し、その商品情報を当該ウェブページと共にそのユーザに提示する。このような情報提示を実行するために、オークション・サーバ１０は機能的構成要素として受信部１１、ページ生成部１２、検索部１３、及び送信部１４を備えている。これらの機能的構成要素を図７に示す。以下では、図７中の実線矢印で示される流れに沿って説明する。図７中の破線矢印で示される流れはその一部の変形（図１３に示す処理）に対応する。
【００５３】
受信部１１は、オークション・サイトのウェブページにアクセスするためのページ要求をユーザ端末Ｔｕから受信する手段である。このページ要求は、ユーザＩＤと、ユーザ端末Ｔｕにこれから表示させようとするウェブページのＵＲＬとを含むＨＴＴＰリクエストである。ユーザＩＤは、ＨＴＴＰクッキー（ＨＴＴＰ  ｃｏｏｋｉｅ）により管理されていてもよいし、ユーザ端末Ｔｕにおいてユーザにより入力されてもよい。受信部１１はこのページ要求をページ生成部１２に出力する。
【００５４】
ページ生成部１２は、ページ要求で示されるウェブページを生成する手段である。ページ要求内のＵＲＬがオークション・サイトのトップページを示していれば、ページ生成部１２は当該トップページを生成する。特定のジャンルを指定するパラメータがそのＵＲＬに含まれていれば、ページ生成部１２はそのパラメータで指定されたジャンルに属する出品商品の一覧が載ったウェブページを生成する。出品商品の検索条件（クエリ）を示すパラメータがそのＵＲＬに含まれていれば、ページ生成部１２はその検索条件を用いて出品商品のデータベース（図示せず）を検索し、その条件に合致する出品商品の一覧を示すウェブページを生成する。当然ながら、ページ生成部１２により生成されるウェブページはこれらに限定されない。ページ生成部１２は生成したウェブページのデータをユーザＩＤと共に検索部１３に出力する。
【００５５】
検索部１３は、ユーザが過去に購入した商品のうち、これから表示されるウェブページに対応する一又は複数の商品を特定する手段である。検索部１３により特定される商品は、オークション・サイトに出品される候補となり得る商品であり、本明細書では「出品候補」ともいう。検索部１３による商品特定の処理手順は、購入履歴の抽出と、ウェブページのコンテンツに基づく絞込みとの二つに大きく分けることができる。購入履歴の抽出は、購入履歴以外のレコードを用いる場合と用いない場合との二つに分けることができる。また、検索部１３はユーザ端末Ｔｕにおける出品候補の表示順を設定することも可能である。
【００５６】
［購入履歴の抽出］
（購入履歴以外のレコードを用いない処理）
検索部１３は、少なくともページ要求のユーザＩＤに対応する購入履歴のレコードを購入履歴データベース２１から抽出する。この具体的な抽出方法については、下記のように様々なものが考えられる。ここで、「ユーザＩＤに対応する」とは、入力されたユーザＩＤと購入履歴のユーザＩＤとが一致するか、あるいは、双方のユーザＩＤ自体が異なっても実際にはこれらのＩＤが同一のユーザを指すことを意味する。後者の場合におけるユーザの同一性の判定は、認可情報の委譲に関する仕組みであるＯＡｕｔｈによるサービス間の連携を利用することで実現可能である。
【００５７】
例えば、検索部１３は、ユーザＩＤが対応し且つ出品フラグが「済」ではないレコードを抽出してもよい。この場合には、ユーザが過去に購入し且つ少なくとも現在出品されていない商品が抽出される。なお、落札された商品の出品フラグは「済」のままであるので、落札済の商品が抽出されることはない。この「ユーザが過去に購入し且つ少なくとも現在出品されていない商品」という条件は、下記の他の抽出方法において前提条件として用いられてもよい。
【００５８】
あるいは、検索部１３は、ユーザＩＤが対応し且つ現在の時期（例えば季節）に対応する商品を示すレコードを抽出してもよい。商品が現在の時期に対応するか否かの判定方法は限定されない。例えば、検索部１３は購入日で示される月日と現在の月日との差が所定の範囲内にあるレコードを抽出してもよい。あるいは、検索部１３は商品属性（商品の名前や説明文など）に含まれているキーワードに基づいて商品の販売時期又は旬を判定し、判定した時期と現在の時期とを比較することで、抽出する商品を選択してもよい。この場合には、現在の時期（季節）において需要があり、落札される可能性が高いと見込まれる商品が選択される。
【００５９】
あるいは、検索部１３は、ユーザＩＤが対応し且つ購入日からの経過期間（購入日と現在日との差）が所定の閾値以上であるレコードを抽出してもよい。この場合には、購入から所定の時間が経過した商品が抽出され、購入から未だあまり時間が経過しておらず出品の可能性が相対的に低い商品は抽出されない。また、この場合には、購入直後の商品が誤って出品されることを防ぐことができる。
【００６０】
この閾値はユーザにより指定されてもよいし、検索部１３により決定されてもよい。後者の場合には、検索部１３はジャンル毎に閾値を設定してもよい。例えば、検索部１３は購入履歴データベース２１及び出品履歴データベース２２を参照して、商品の購入から出品までの期間の統計値（例えば平均値や最小値）をジャンル毎に求め、算出された期間を各ジャンルの閾値としてもよい。商品の使用期間はその種類により様々であるので、商品のジャンル毎に閾値を設定することで、出品候補を適切な時期に提示することができる。
【００６１】
購入履歴と出品履歴との１対１の対応を特定できない場合には、検索部１３は一の出品履歴と、当該出品履歴の出品日よりも前の購入日を有する一の購入履歴とを対応付けることで、購入から出品までの期間を求めてもよい。検索部１３は期間の閾値をユーザ毎に算出してもよいし、性別や年齢などのユーザ属性毎に算出してもよいし（この場合には、ユーザ属性を得るためにユーザデータベースが参照される）、あるいは全ユーザ共通の閾値を求めてもよい。
【００６２】
（購入履歴以外のレコードを用いる処理）
購入から所定の時間が経過した商品を選択する方法の変形として、検索部１３は、購入からの経過時間だけでなく現在の出品状況も考慮して購入履歴を抽出してもよい。具体的には、検索部１３は上記と同様に、ユーザＩＤが対応し且つ購入日からの経過期間が所定の閾値以上であるレコードを長期保持商品として抽出する。続いて、検索部１３はユーザＩＤが対応し且つその経過期間がその閾値未満であるレコードを短期保持商品として抽出し、この短期保持商品のそれぞれについて、ユーザの購入額とオークション・サイトにおける落札額とのどちらが高いかを比較する。
【００６３】
ユーザの購入額は購入履歴から得られる。一方、比較対象となる落札額は、抽出された商品ＩＤに対応する１以上の落札履歴で示される落札額の統計値（例えば平均値や最大値など）である。
【００６４】
統計値を算出する際には、検索部１３は、出品された商品の説明文から取得した品質（例えば「傷あり」などのキーワード）に基づいて所定の係数をその商品の落札額に乗ずることで、個々の商品の落札額を調整してもよい。これは、商品の品質が当初の販売時点の水準であると想定して、統計値の算出の基となる落札額を調整することを意味する。あるいは、検索部１３は商品の品質に応じて複数種類の統計値を算出してもよい。例えば、ある一つの商品ＩＤに対して、「新品」という説明が付された商品の落札履歴と、「中古」という説明が付された商品の落札履歴とのそれぞれについて統計値を算出し、ユーザ又は検索部１３の指定によりどちらか一方の統計値を用いてもよい。
【００６５】
検索部１３は、落札額の統計値が購入額よりも高い短期保持商品を特定し、検索部１３は長期保有商品とその条件を満たす短期保持商品とを最終的に抽出する。このように、商品が購入時よりも高い金額で落札されている場合には、購入時期に拘わらずその商品を抽出することで、ユーザの出品意欲をかき立てることができる。
【００６６】
あるいは、検索部１３は、ユーザＩＤが対応し且つ落札額の統計値（例えば平均値や最大値など）が所定の閾値以上である購入履歴を抽出してもよい。この場合には、ある水準以上の落札が期待できる商品が抽出されるので、ユーザの出品意欲をかき立てることができる。閾値はユーザにより指定されてもよいし、検索部１３により商品毎に予め決定されていてもよい。あるいは、閾値は購入履歴で示されるユーザの購入額であってもよい。検索部１３はユーザＩＤに対応する購入履歴を抽出し、その購入履歴で示される商品ＩＤのそれぞれについて、落札履歴に基づいて落札額の統計値を算出する。そして、検索部１３は統計値がその閾値以上である購入履歴のみを最終的に抽出する。
【００６７】
あるいは、検索部１３は、ユーザＩＤが対応し、且つオークション・サイトにおける商品の需要が所定の水準以上である商品を抽出してもよい。
【００６８】
具体的には、検索部１３はまず、ユーザＩＤに対応する購入履歴を購入履歴データベース２１から抽出する。続いて、検索部１３はその購入履歴で示される商品ＩＤのそれぞれについて検索履歴データベース２４、出品履歴データベース２２、及び落札履歴データベース２３を参照して、所定の期間における各商品の検索数及び供給指数を求め、需要のトレンドを示す需要指数（＝検索数／供給指数）を求める。供給指数は出品数であってもよいし、所定期間中に出品され且つ落札された商品の個数であってもよい。続いて、検索部１３はその需要指数が所定の閾値以上である購入履歴のみを最終的に抽出する。
【００６９】
ここで、需要指数の計算例を説明する。例えば、購入履歴において、単語αの検索により三つの商品Ａ，Ｂ，Ｃが抽出されるものとし、オークション・サイトにおいて、当該単語αによるこれら３商品の検索回数が１００であったとする。そして、商品Ａ，Ｂ，Ｃの出品数がそれぞれ２００，３００，４００であったとする。この場合には、商品Ａの需要指数は１００／２００、商品Ｂの需要指数は１００／３００、商品Ｃの需要指数は１００／４００となるので、商品Ａ，Ｂ，Ｃの順に需要が高い（人気がある）と言うことができる。
【００７０】
なお、季節商品は時期により需要のトレンドが変わることが多いので、出品及び落札の時期を考慮して需要指数を求めてもよい。例えば、検索部１３は、ある期間内に出品された商品の当該期間内における落札数と、当該期間におけるその商品の検索数とから需要指数を求めてもよい。あるいは、検索部１３は、ある期間内における商品の出品数又は落札数と、当該期間におけるその商品の検索数とから需要指数を求めてもよい。
【００７１】
このような手法により、需要はあるが供給が少ないと推定される商品が抽出される。閾値はユーザにより指定されてもよいし検索部１３により設定されてもよい。検索部１３は、複数の連続する期間における需要指数の推移を商品毎に求め、その推移が所定のパターンに合致する商品の購入履歴を最終的に抽出してもよい。いずれにしても、ある水準以上の需要が見込まれる商品を抽出することで、落札が見込まれそうな商品を出品候補としてユーザに提示することができる。
【００７２】
このように購入履歴の抽出方法は様々であるが、検索部１３は複数種類の手法を用いて購入履歴を抽出してもよい。
【００７３】
［ウェブページのコンテンツに基づく絞込み］
上記のように、少なくともユーザＩＤに対応する購入履歴を抽出すると、検索部１３はその購入履歴からウェブページのコンテンツに対応する商品を特定する。特定の方法は限定されない。
【００７４】
ウェブページがある特定のジャンルに関するコンテンツを示す場合には、検索部１３は、商品属性がそのジャンルに一致する購入履歴を特定する。ウェブページがユーザ端末Ｔｕから送られてきたクエリに基づく検索結果を示す場合には、検索部１３は商品属性がそのクエリに合致する購入履歴を特定する。ウェブページがオークション・サイトのトップページである場合には、検索部１３は抽出された購入履歴のすべてを選択してもよい。検索部１３はウェブページのコンテンツに基づいて特定した購入履歴をウェブページのデータと共に送信部１４に出力する。
【００７５】
このように、ウェブページのコンテンツに対応する商品を特定することで、ユーザが現在興味を持っている商品属性に合わせて出品候補を提示することができる。その結果、出品に係る利便性を高めることが期待できる。
【００７６】
なお、最終的に検索部１３がひとつも商品を特定できなかった場合には、検索部１３は、出品候補が表示されないことを避けるために、ユーザＩＤに対応する購入履歴のすべてを送信部１４に出力してもよい。
【００７７】
［表示順の設定］
特定した購入履歴を送信部１４に出力する際に、検索部１３は出品候補の表示順を設定してもよい。例えば、検索部１３は上記の需要指数を各商品について求め、その値の降順又は昇順に商品を並べ替えてもよい。あるいは、検索部１３は過去の落札額の統計値、検索数、及び購入日のうちのいずれか一つの降順又は昇順に商品を並べ替えてもよい。各商品の落札額の統計値は落札履歴を参照及び集計することで得られ、各商品の検索数は検索履歴を参照及び集計することで得られる。商品の表示順をこのように設定することで、ユーザは出品の要否を簡単に判断することができる。
【００７８】
送信部１４は、検索部１３により特定された出品候補の商品情報と、ページ生成部１２により生成されたウェブページとを、ページ要求への応答としてユーザ端末Ｔｕに送信する手段である。商品属性や購入額などの商品情報は、検索部１３により特定された商品の購入履歴から得ることができる。
【００７９】
本実施形態では、出品候補の商品情報をウェブページとは別のウィンドウ（出品ウィンドウ）に表示させるものとする。ユーザ端末Ｔｕでの出品ウィンドウの表示例を図８〜１０に示す。図８は特定のジャンルのウェブページ２００と共に出品ウィンドウ２１０を表示する例を示している。図９はジャンル及びキーワードによる検索結果のウェブページ２００と共に出品ウィンドウ２１０を表示する例を示している。図１０はキーワードのみによる検索結果のウェブページ２００と共に出品ウィンドウ２１０を表示する例を示している。送信部１４はこの出品ウィンドウ２１０を表示させるためのデータもユーザ端末Ｔｕに送信する。
【００８０】
出品ウィンドウ２１０の具体的な実現方法は限定されない。例えば、出品ウィンドウ２１０をウェブブラウザ（Web Browser）上に表示させてもよい。あるいは、そのウェブブラウザとは独立したウィンドウの態様で（例えばＪａｖａｓｃｒｉｐｔ（商標又は登録商標）で実現されたウィンドウの態様で）出品ウィンドウ２１０を表示させてもよい。
【００８１】
出品ウィンドウ２１０は、ページ要求により表示されたウェブページに関するメインページ情報２１１と、出品候補のリスト（候補リスト）２１２と、出品ボタン（出品インタフェース）２１３と、リストボタン（リスト追加インタフェース）２１４とを含んでいる。メインページ情報２１１として、図８ではジャンルが表示され、図９ではジャンル及びキーワードから成るクエリが表示され、図１０ではキーワードのみからなるクエリが表示されている。出品ウィンドウ２１０は、ユーザが候補リスト内の商品をオークション・サイトに出品可能な態様で、その商品を表示する。
【００８２】
図８では、ユーザがレディース・バッグのジャンルを指定したことに応じて、そのジャンルの出品商品の一覧（商品Ａ〜Ｅなど）がウェブページ２００上に表示されると共に、そのユーザが購入したバッグ１，２，３が候補リスト２１２として表示されている。図９では、ユーザがジャンル「パソコン・周辺機器」とキーワード「ノート」とを指定したことに応じて、そのクエリに合致する出品商品の一覧（商品Ｆ〜Ｊなど）がウェブページ２００上に表示されると共に、そのユーザが購入したノート型ＰＣ１，２，３が候補リスト２１２として表示されている。図１０では、ユーザが三つのキーワード「ノートＰＣ  ＤＶＤ  １２．１インチ」を入力したことに応じて、そのクエリに合致する出品商品の一覧（商品Ｇ，Ｈ，Ｊ，Ｋ，Ｌ）がウェブページ２００上に表示されると共に、そのユーザが購入したノート型ＰＣ１が候補リスト２１２として表示されている。
【００８３】
キーワードだけで検索するとユーザが意図しない商品が抽出される可能性がある。例えば、「ノート」というキーワードによる検索時に、「ノートＰＣ」及び「ノートブック」という、互いに異なるジャンルの商品が同時に抽出され得る。したがって、ユーザがノートＰＣを検索する意図だった場合には、ユーザが意図しない「ノートブック」が抽出される。キーワードだけでなくジャンルも含むクエリで検索すれば、ユーザの意図しない商品が抽出されるという状況を回避できる。
【００８４】
候補リスト２１２内の商品情報としてどのような項目を表示させるかは任意に定めてよい。例えば、商品名、画像、及び購入額が商品情報として出品ウィンドウ２１０内に表示されてもよい。
【００８５】
購入履歴の取得元を示す情報を予め購入履歴データベース２１などに保持しておいた上で、どのサイトで商品を購入したかを示すマークを商品情報の一部として表示してもよい。例えば、オークション・サイト内の購入履歴データベースから取得したか、それともオンライン・ショッピング・サイトの購入履歴データベースから取得したかを示すマークが出品ウィンドウ２１０内に表示されてもよい。これにより、ユーザは所持品の入手経路や、購入時の商品の品質（新品か中古品か）を思い出し、それに基づいて出品の要否などを判断することができる。商品リスト２１２内では、各商品が検索部１３により設定された順序で表示される。
【００８６】
出品ボタン２１３は、出品候補をオークション・サイトに出品するためのユーザ・インタフェースである。出品ボタン２１３が押されると、現在のウェブページが、そのボタンに対応する商品を出品するためのウェブページ（出品ページ）に切り替わる。したがって、ユーザは出品ページに簡単にアクセスすることができる。出品ボタン２１３が押された場合には、出品ウィンドウ２１０内で保持されている商品情報の少なくとも一部（例えば商品の名前、画像、落札額の平均など）が出品ページ内の対応する入力欄に自動的に設定される。これにより入力作業の少なくとも一部が省略されるので、ユーザは出品作業を簡単に行うことができる。
【００８７】
リストボタン２１４は、後で商品を出品するためにその商品を待ちリストに加えるためのユーザ・インタフェースである。リストボタン２１４が押されると、待ちリストのウェブページ又は別ウィンドウが表示され、そのボタンに対応する商品が待ちリストに追加される。ユーザは、オークション・サイトのウェブページ上のリンクから待ちリストにアクセスでき、その待ちリストから商品を選択して、上記出品ボタン２１３を押した場合と同様に商品を出品することができる。これにより、ユーザは後でいつでも出品することができ、且つその際の出品作業を簡単に行うことができる。
【００８８】
なお、出品ボタン２１３及びリストボタン２１４の少なくとも一方を省略してもよい。また、出品候補の表示方法は上記の例に限定されず、例えば図１１のように出品候補の商品情報をウェブページ２００内に載せてもよい。図１１の例では、商品Ｆ〜Ｊなどの出品商品と共に、候補リスト２１２（ノート型ＰＣ１〜３）がウェブページ２００内に表示されている。図８〜１０と同様に、各出品候補には、出品ボタン２１３及びリストボタン２１４が用意されている。
【００８９】
次に、図１２〜１４を用いて、オークション・サーバ１０の動作を説明するとともに本実施形態に係る情報提供方法について説明する。図１２はウェブページとは別に出品ウィンドウをユーザ端末Ｔｕ上に表示させる処理の例を示し、図１３は出品候補の商品情報をウェブページに含めてユーザ端末Ｔｕに提供する処理の例を示す。図１４は処理手順の更なる変形を示す。
【００９０】
まず、図１２を参照して説明する。ユーザがオークション・サイトにアクセスするための操作を行うと（ステップＳ１１）、ユーザ端末Ｔｕがページ要求をオークション・サーバ１０に送信する（ステップＳ１２）。
【００９１】
オークション・サーバ１０では、受信部１１がそのページ要求を受信する（受信ステップ）。続いて、ページ生成部１２がそのページ要求内のＵＲＬで示されるウェブページを生成する（ステップＳ１３）。続いて、検索部１３がそのページ要求内のユーザＩＤに少なくとも対応する購入履歴を抽出することで、ユーザの過去の購入商品を抽出する（ステップＳ１４、検索ステップ）。検索部１３は上記の様々な手法により、ユーザＩＤだけでなく他の条件にも合致した購入商品を抽出する。続いて、検索部１３は抽出した購入履歴からウェブページに対応する商品を特定する（ステップＳ１５、検索ステップ）。上述したように、この特定処理においても検索部１３は様々な手法を用い得る。そして、送信部１４が生成されたウェブページ及び出品候補の商品情報をユーザ端末Ｔｕに送信する（ステップＳ１６、送信ステップ）。
【００９２】
ユーザ端末Ｔｕは、そのウェブページ及び商品情報を受信し、これらを画面上に表示する（ステップＳ１７）。これによりユーザは自分が過去に購入した商品を出品候補として把握することができ、更には、出品ウィンドウから出品の手続又は待ちリストへの追加を行うこともできる。
【００９３】
次に、図１３を参照して説明する。ステップＳ２１，Ｓ２２の処理は図１２におけるステップＳ１１，Ｓ１２の処理と同じである。
【００９４】
オークション・サーバ１０では、受信部１１がそのページ要求を受信すると（受信ステップ）、検索部１３がその要求内のユーザＩＤに少なくとも対応する購入履歴を抽出することでユーザの過去の購入商品を抽出する（ステップＳ２３、検索ステップ）。続いて、検索部１４は、抽出した購入履歴からウェブページに対応する商品を特定する（ステップＳ２４、検索ステップ）。検索部１４はページ生成部１２から、ページ要求のＵＲＬで示されるウェブページのデータを取得することで、当該ページに対応する商品を特定できる。続いて、ページ生成部１２がページ要求内のＵＲＬで示されるウェブページであって、検索部１４により特定された商品の情報が掲載されたウェブページを生成する（ステップＳ２５）。そして、送信部１４が、出品候補の商品情報を含むウェブページをユーザ端末Ｔｕに送信する（ステップＳ２６、送信ステップ）。
【００９５】
ユーザ端末Ｔｕは、そのウェブページを受信して画面上に表示する（ステップＳ２７）。この場合には、ユーザはそのウェブページ上で出品候補を把握することができ、更には、出品の手続又は待ちリストへの追加を行うこともできる。
【００９６】
次に、図１４を参照して説明する。ステップＳ３１〜Ｓ３３の処理は図１２におけるステップＳ１１〜Ｓ１３の処理と同じである。続いて、送信部１４が生成されたウェブページと別ウィンドウ用のプログラムとをユーザ端末Ｔｕに送信する（ステップＳ３４）。なお、そのプログラムはＪａｖａｓｃｒｉｐｔ（商標又は登録商標）等により実現される。ユーザ端末Ｔｕがそのプログラムを実行すると（ステップＳ３５）、ユーザ端末Ｔｕは出品候補を抽出させるための命令をオークション・サーバ１０に送信する（ステップＳ３６）。なお、ユーザＩＤはステップＳ３２ではなくステップＳ３６においてオークション・サーバ１０に送られてもよい。
【００９７】
オークション・サーバ１０では、その命令に基づいて、図１２におけるステップＳ１４，Ｓ１５と同様の処理がステップＳ３７，Ｓ３８として実行され、続いて、出品候補を表示させるための情報が生成される（ステップＳ３９）。生成される情報は少なくとも商品情報を含み、必要に応じて、別ウィンドウを制御するためのデータを更に含んでもよい。最後に、送信部１４が生成された情報をユーザ端末Ｔｕに送信し（ステップＳ４０）、これにより、ユーザ端末Ｔｕにおいて、ウェブページ及び商品情報が表示される（ステップＳ４１）。
【００９８】
次に、図１５を用いて、コンピュータをオークション・サーバ１０として機能させるための情報提供プログラムＰ１を説明する。
【００９９】
情報提供プログラムＰ１は、メインモジュールＰ１０、受信モジュールＰ１１、ページ生成モジュールＰ１２、検索モジュールＰ１３、及び送信モジュールＰ１４を備えている。
【０１００】
メインモジュールＰ１０は、情報提供機能を統括的に制御する部分である。受信モジュールＰ１１、ページ生成モジュールＰ１２、検索モジュールＰ１３、及び送信モジュールＰ１４を実行することにより実現される機能はそれぞれ、上記の受信部１１、ページ生成部１２、検索部１３、及び送信部１４の機能と同様である。
【０１０１】
情報提供プログラムＰ１は、例えば、ＣＤ−ＲＯＭやＤＶＤ−ＲＯＭ、半導体メモリ等の有形の記録媒体に固定的に記録された上で提供される。また、情報提供プログラムＰ１は、搬送波に重畳されたデータ信号として通信ネットワークを介して提供されてもよい。
【０１０２】
以上説明したように、本実施形態によれば、ユーザがオークション・サイトのウェブページにアクセスしようとすると、そのユーザにより購入され且つそのウェブページのコンテンツに対応する商品が特定される。そして、特定された商品情報がそのウェブページと共にユーザ端末Ｔｕに送られて、その商品情報及びウェブページが当該端末Ｔｕ上に表示される。例えば、図８の例では指定されたジャンルに対応する商品が特定され、図９の例では指定されたジャンル及びキーワードに対応する商品が特定され、図１０の例では指定されたキーワードに対応する商品が特定される。
【０１０３】
ユーザがオークション・サイトにアクセスするということは、ユーザがオークションに興味を示したことを意味する。したがって、出品の候補となる商品の情報をそのアクセス時に表示させることで、ユーザがオークションに興味を持っている時に出品候補の所有物をそのユーザに気付かせて、そのままユーザを出品操作へと誘導することができる。また、この出品候補の商品情報はオークション・サイトのウェブページに対応しており、且つそのウェブページと共にユーザ端末Ｔｕ上に表示されるので、ユーザは出品するか否かを簡単に判断することができる。これらの結果、ユーザがインターネット・オークションに出品する手間をより省くことができる。
【０１０４】
本実施形態のように、ユーザが出品候補を簡単に把握できるようにするために、オークション・サイトへのアクセス時にウェブページと共にその出品候補を表示することは、上記特許文献１に記載のメールによる通知では実現できない技術的効果である。
【０１０５】
また、本実施形態によれば、ユーザは、ページ生成部１２により生成されたウェブページに表示されている出品商品と出品候補の所有物とを比較したり、複数の出品候補同士を比較したりすることができる。
【０１０６】
以上、本発明をその実施形態に基づいて詳細に説明した。しかし、本発明は上記実施形態に限定されるものではない。本発明は、その要旨を逸脱しない範囲で様々な変形が可能である。
【０１０７】
上記実施形態では検索部１３が出品ウィンドウでの商品情報の表示順を決めたが、ユーザがその表示順を変更できるように出品ウィンドウが生成されてもよい。あるいは、検索部１３で表示順を決めることなく、出品ウィンドウにおいてユーザがその表示順を設定する仕組みを採用してもよい。
【０１０８】
ウェブページを生成する機能と出品候補を特定する機能とを互いに別のサーバに分散させても良い。例えば、ページ生成部をオークション・サーバ１０とは別のサーバに設け、検索部１３がそのサーバからウェブページのデータを受信して上記実施形態と同様に出品候補を特定してもよい。
【符号の説明】
【０１０９】
１…オークション・システム、１０…オークション・サーバ、１１…受信部、１２…ページ生成部、１３…検索部、１４…送信部、２０…データベース群、２１…購入履歴データベース（購入履歴記憶部）、２２…出品履歴データベース（出品履歴記憶部）、２３…落札履歴データベース（落札履歴記憶部）、２４…検索履歴データベース（検索履歴記憶部）、Ｐ１…情報提供プログラム、Ｐ１０…メインモジュール、Ｐ１１…受信モジュール、Ｐ１２…ページ生成モジュール、Ｐ１３…検索モジュール、Ｐ１４…送信モジュール、Ｔｕ…ユーザ端末。
【図１】
2013145454.tif 000003
【図２】
2013145454.tif 000004
【図３】
2013145454.tif 000005
【図４】
2013145454.tif 000006
【図５】
2013145454.tif 000007
【図６】
2013145454.tif 000008
【図７】
2013145454.tif 000009
【図８】
2013145454.tif 000010
【図９】
2013145454.tif 000011
【図１０】
2013145454.tif 000012
【図１１】
2013145454.tif 000013
【図１２】
2013145454.tif 000014
【図１３】
2013145454.tif 000015
【図１４】
2013145454.tif 000016
【図１５】
2013145454.tif 000017
【国際調査報告】
2013145454.tif 000018
2013145454.tif 000019
2013145454.tif 000020